(57)【要約】【課題】複数の電線を結束しても寸法精度の低下や分岐角度の精度低下を防止する。【解決手段】布線板上に定められたワイヤハーネス１の布線経路Ｌにおけるワイヤハーネス１の曲げポイントＰの近傍に設けられて、ワイヤハーネス１を構成する複数の電線２を布線経路Ｌからずらして係止し且つ複数の電線２が結束された電線束３を布線経路Ｌ上で係止する布線治具１０であって、電線束３を布線経路Ｌに位置付けるために、曲げポイントＰの近傍に生じる複数の電線２の電線余長部分４を予め定められた布線高さで係止する第１係止部材１１と、前記布線高さから第１係止部材１１が逸脱する非布線高さと前記布線高さとにわたって第１係止部材１１を移動させる移動手段１２と、第１係止部材１１の近傍に設けられ、移動手段１２が第１係止部材１１を前記非布線高さに移動した場合に、電線束３を前記布線高さで係止して布線経路Ｌに位置付ける第２係止部材１３と、を有する。【選択図】図３
2012174333.tif 000002
【特許請求の範囲】
【請求項１】
布線板上に定められたワイヤハーネスの布線経路における前記ワイヤハーネスの曲げポイントの近傍に設けられて、前記ワイヤハーネスを構成する複数の電線を前記布線経路からずらして係止し且つ前記複数の電線が結束された電線束を前記布線経路上で係止する布線治具であって、
前記電線束を前記布線経路に位置付けるために、前記曲げポイントの近傍に生じる前記複数の電線の電線余長部分を予め定められた布線高さで係止する第１係止部材と、
前記布線高さから前記第１係止部材が逸脱する非布線高さと前記布線高さとにわたって前記第１係止部材を移動させる移動手段と、
前記第１係止部材の近傍に設けられ、前記移動手段が前記第１係止部材を前記非布線高さに移動した場合に、前記電線束を前記布線高さで係止して前記布線経路に位置付ける第２係止部材と、
を有することを特徴とする布線治具。
【請求項２】
前記移動手段は、前記布線高さと前記非布線高さとにわたって移動自在に設けられて、固定された前記第１係止部材を前記布線高さ又は前記非布線高さに位置付ける固定部を有し、
前記第２係止部材は、前記固定部の移動方向を規制するように、前記布線高さから前記非布線高さにわたる長さで形成されたガイド部材であることを特徴とする請求項１に記載の布線治具。
【請求項３】
請求項１又は２に記載の布線治具を布線板上で製造するワイヤハーネスの曲げポイントに対応させて前記布線板上に固定し、前記布線治具を用いて布線した複数の電線を結束する電線結束方法であって、
前記布線高さに前記第１係止部材を位置付けた状態で前記第１係止部材に前記複数の電線の電線余長部分を係止する電線係止過程と、
前記第１係止部材が係止している前記複数の電線を前記曲げポイントに向かって結束する結束過程と、
前記複数の電線を係止している前記第１係止部材を前記移動手段によって前記非布線高さに移動させて、前記電線束を前記第２係止部材に係止させる電線束係止過程と、
を有することを特徴とする電線結束方法。
【発明の詳細な説明】
【技術分野】
【０００１】
本発明は、布線板上に定められたワイヤハーネスの布線経路における前記ワイヤハーネスの曲げポイントの近傍に設けられて、前記ワイヤハーネスを構成する複数の電線を前記布線経路からずらして係止し且つ前記複数の電線が結束された電線束を前記布線経路上で係止する布線治具及び電線結束方法に関するものである。
【背景技術】
【０００２】
移動体としての自動車などには、種々の電子機器が搭載される。このため、前記自動車などは、前記電子機器に電源などからの電力やコンピュータなどからの制御信号などを伝えるために、ワイヤハーネスを配索している。ワイヤハーネスは、複数の電線と、該電線の端部などに取り付けられたコネクタなどを備えている。
【０００３】
電線は、導電性の芯線と該芯線を被覆する絶縁性の合成樹脂からなる被覆部とを備えている。電線は、所謂被覆電線である。コネクタは、導電性の端子金具と絶縁性のコネクタハウジングとを備えている。端子金具は、電線の端部などに取りつけられかつ該電線の芯線と電気的に接続する。コネクタハウジングは、箱状に形成されかつ端子金具を収容する。
【０００４】
前記ワイヤハーネスを組み立てる際には、まず電線を所定の長さに切断した後、該電線の端部などに端子金具を取り付ける。必要に応じて電線同士を接続する。その後、端子金具をコネクタハウジング内に挿入する。こうして、前述したワイヤハーネスを組み立てる。
【０００５】
また、図７は従来のワイヤハーネスの製造治具の一形態を示すものである。そして、図７に示す製造治具４１は、長方形の幅広の基板４２と、基板４２上に立設された複数の布線治具４３と、基板４２に隣接して配置された部品棚４４と、部品棚４４上の部品ケース４５とを少なくとも備えたものである。基板４２と複数の布線治具４３とで布線板４６が構成されている。
【０００６】
布線板４６は脚部４７で傾斜状に支持されている。これは、作業者が奥行きの広い布線板４６に対して電線４８の布線作業を容易に且つ効率良く行えるようにするためである。布線板４６を傾斜させない場合には奥側の布線治具４３まで手が届かず、布線作業性が悪い。なお、奥行きの狭い布線板については傾斜状でなく水平に配置する。
【０００７】
布線とは電線４８を一本づつ各布線治具４３に沿って所要形状に配線することである。布線された複数本の電線４８には保護チューブ４９やプロテクタ等の部品が装着される。各電線４８の端末には端子（図示せず）が圧着されており、各端子はコネクタハウジング内に挿入され、コネクタハウジングと端子とでコネクタ５０が構成される。さらに、複数本の電線４８がビニルテープ５１で集束されて、ワイヤハーネス５２が完成する。
【０００８】
また、上述した布線治具４３については、特許文献１に示すように、布線の差異に分散させた電線に発生する電線のだぶつきを、電線布線治具を改良することによって防止し、ワイヤハーネスの仕上がり精度と生産性の向上が図られている。詳細には、特許文献１の電線布線治具は、電線受け部の中心位置、つまり設計上の分岐点に当たる位置に電線巻き付け部を設け、電線をその電線巻き付け部に巻き付けた後に屈折させる構成としている。
【先行技術文献】
【特許文献】
【０００９】
【特許文献１】特開２００２−４２５８６号公報
【発明の概要】
【発明が解決しようとする課題】
【００１０】
しかしながら、従来の電線布線治具は、電線を設計上の分岐点で分岐させることができるものではあったが、ワイヤハーネスは分岐点で複数の電線からなる電線群を曲げた後に外装材によって結束化していた。そのため、図８に示すように、電線巻き付け部４３ａに巻き付けて曲げられた複数の電線群４８をテープ５１で巻いて結束された電線束６０は、その断面が略円形となるため、電線束６０の中心位置を設計上の分岐点に位置付けると、中心位置と設計上の分岐点との間に位置ズレＮが生じてしまう。
【００１１】
また、ワイヤハーネスにその位置ズレＰを見越した余長を与えると、該余長は必用とする分岐点Ｂである電線巻き付け部４３ａ部分に留まらない。そのため、図９に示すようにワイヤハーネス５２を分岐点Ｂで分岐させる場合、テープ５１をテープ巻き方向Ｘ（分岐点Ｂに向かう方向）に巻いて複数の電線群４８の結束時に、作業者が分岐点Ｂに弛みＳを寄せて収束していたため、その弛み具合、テープ５１の巻き方、等によっては寸法精度が不安定になってしまうという問題があった。さらに、ワイヤハーネスの分岐角度θの分岐経路Ｌ上に布線治具４３のピン４３ｂが存在すると、電線群４８の結束作業等の障害となり、図１０に示すように、電線群４８が分岐点Ｂ寄りの分岐経路Ｌからズレ量Ｚだけずれてしまうという問題が生じてしまう。
【００１２】
よって本発明は、上述した問題点に鑑み、複数の電線を結束しても寸法精度の低下や分岐角度の精度低下を防止することができる布線治具と電線結束方法を提供することを課題としている。
【課題を解決するための手段】
【００１３】
上記課題を解決するため本発明によりなされた請求項１記載の布線治具は、布線板上に定められたワイヤハーネスの布線経路における前記ワイヤハーネスの曲げポイントの近傍に設けられて、前記ワイヤハーネスを構成する複数の電線を前記布線経路からずらして係止し且つ前記複数の電線が結束された電線束を前記布線経路上で係止する布線治具であって、前記電線束を前記布線経路に位置付けるために、前記曲げポイントの近傍に生じる前記複数の電線の電線余長部分を予め定められた布線高さで係止する第１係止部材と、前記布線高さから前記第１係止部材が逸脱する非布線高さと前記布線高さとにわたって前記第１係止部材を移動させる移動手段と、前記第１係止部材の近傍に設けられ、前記移動手段が前記第１係止部材を前記非布線高さに移動した場合に、前記電線束を前記布線高さで係止して前記布線経路に位置付ける第２係止部材と、を有することを特徴とする。
【００１４】
上記請求項１に記載した本発明の布線治具によれば、第１係止部材は複数の電線の電線余長部分を係止する布線板上の位置に配置され、第２係止部材は当該第１品部材の近傍で電線束が係止したときに当該電線束を布線経路上に位置付ける位置に配置される。そして、移動手段によって第１係止部材が布線高さに位置付けられた状態で、複数の電線が布線板上に布線されると、複数の電線の電線余長部分が第１係止部材に係止される。そして、複数の電線が結束され、移動手段によって第１係止部材が布線高さから非布線高さに移動されると、結束された電線束は第１係止部材との係止が解除された後に第２係止部材で係止されることで、布線経路上に電線束を位置付けることができる。
【００１５】
請求項２記載の発明は、請求項１に記載の布線治具において、前記移動手段は、前記布線高さと前記非布線高さとにわたって移動自在に設けられて、固定された前記第１係止部材を前記布線高さ又は前記非布線高さに位置付ける固定部を有し、前記第２係止部材は、前記固定部の移動方向を規制するように、前記布線高さから前記非布線高さにわたる長さで形成されたガイド部材であることを特徴とする。
【００１６】
上記請求項２に記載した本発明の布線治具によれば、移動手段の固定部は、第２係止部材によって移動方向が規制され、第２係止部材に沿って固定部及び第１係止部材を移動することで、第１係止部材を布線高さから非布線高さにわたって移動することができる。
【００１７】
上記課題を解決するため本発明によりなされた請求項３記載の電線結束方法は、請求項１又は２に記載の布線治具を布線板上で製造するワイヤハーネスの曲げポイントに対応させて前記布線板上に固定し、前記布線治具を用いて布線した複数の電線を結束する電線結束方法であって、前記布線高さに前記第１係止部材を位置付けた状態で前記第１係止部材に前記複数の電線の電線余長部分を係止する電線係止過程と、前記第１係止部材が係止している前記複数の電線を前記曲げポイントに向かって結束する結束過程と、前記複数の電線を係止している前記第１係止部材を前記移動手段によって前記非布線高さに移動させて、前記電線束を前記第２係止部材に係止させる電線束係止過程と、を有することを特徴とする。
【００１８】
上記請求項３に記載した本発明の電線結束方法によれば、布線板上におけるワイヤハーネスの曲げポイントの近傍に布線治具が固定され、第１係止部材が移動手段によって布線高さに位置付けられると、布線経路上に複数の電線が布線されて、当該第１係止部材に複数の電線の電線余長部分が係止される。そして、第１係止部材に係止している複数の電線は、その曲げポイントに向かって結束部材によって結束されると、第１係止部材を移動手段によって非布線高さに移動させて、電線束を第２係止部材に係止させることで、電線束を布線経路上に位置付けることができる。
【発明の効果】
【００１９】
以上説明したように請求項１に記載した本発明によれば、ワイヤハーネスの曲げポイントの近傍に設けた複数の電線の電線余長部分を第１係止部材に係止するようにしたことから、複数の電線を結束しても曲げポイントに生じる弛みを安定させることができるため、寸法精度を安定させることができる。また、第１係止部材に係止した複数の電線を結束し、第１係止部材との係止を解除した電線束を、第２係止部材で係止して布線経路上に位置付けるようにしたことから、第１係止部材によって電線余長部分が係止されているために、結束作業時に作業者が曲げポイントに電線余長部分を寄せて結束させる必要がなくなり、しかも、電線束が布線経路上からずれることを防止できるため、製造するワイヤハーネスの精度低下を防止することができる。従って、複数の電線に電線余長部分を持たせてワイヤハーネスを製造しても、結束後の電線束の精度低下を防止できるため、寸法精度及び分岐角度の精度低下を防止して、寸法精度の良いワイヤハーネスを容易に製造することができる。
【００２０】
請求項２に記載の発明によれば、請求項１に記載の発明の効果に加え、移動手段の固定部の移動方向を第２係止部材によって規制するようにしたことから、新たなガイド部材等を設ける必要もなく、固定部を移動させるのみで第１係止部材を布線高さ又は非布線高さに移動させることができるため、簡単な構成且つ安価に移動手段を実現することができる。
【００２１】
以上説明したように請求項３に記載した本発明によれば、第１係止部材に複数の電線の電線余長部分を係止し、該複数の電線を結束した電線束を第２係止部材で係止させるようにしたことから、最終的な電線束を布線経路上に位置付けることができるため、寸法精度を向上させることができる。また、電線余長部分を第１係止部材に係止していることから、結束作業時に作業者が曲げポイントに電線余長部分を寄せて結束させる必要がなくなり、複数の電線を結束しても曲げポイントに生じる弛みを安定させることができるため、寸法精度を安定させることができる。従って、複数の電線に電線余長部分を持たせてワイヤハーネスを製造しても、結束後の電線束の精度低下を防止できるため、寸法精度及び分岐角度の精度低下を防止して、寸法精度の良いワイヤハーネスを容易に製造することができる。
【図面の簡単な説明】
【００２２】
【図１】第１係止部材が非布線高さにある場合に電線束を係止した場合の布線治具の斜視図である。
【図２】第１係止部材が布線高さにある場合に複数の電線を係止した場合の布線治具の斜視図である。
【図３】布線治具の第１係止部材と第２係止部材と布線経路との関係例を説明するための図である。
【図４】布線治具の布線高さと非布線高さとの関係例を説明するための図である。
【図５】第１係止部材に係止した複数の電線に対する結束化の一例を説明するための図である。
【図６】第１係止部材と第２係止部材に対する係止状態を説明するための図であり、（ａ）は第１係止部材に複数の電線が係止した場合、（ｂ）は第２係止部材に電線束が係止した場合をそれぞれ示している。
【図７】従来の布線治具を用いた布線装置の一形態を示す図である。
【図８】従来の布線治具において複数の電線を結束することによって生じる位置ズレを説明するための図である。
【図９】従来の布線治具において分岐点に生じる弛みを説明するための図である。
【図１０】従来の布線治具において結束した電線群が分岐点寄りの分岐経路からずれた場合を説明するための図である。
【発明を実施するための形態】
【００２３】
以下、本発明に係る布線治具と該布線治具を用いた電線結束方法の一実施の形態を、図１〜図６の図面を参照して説明する。なお、従来の技術のところで説明したものと同一あるいは相当する部分には同一符号を付してその詳細な説明は省略する。
【００２４】
図１，２において、ワイヤハーネス１は、車両等に配索される３次元形状（立体形状）のものを布線板４６に布線したときの布線平面形となっている。ワイヤハーネス１は、複数の電線２（図２参照）が結束された電線束３（図１参照）を有し、該電線束３の端部などにはコネクタが取り付けられている。なお、電線２は、導電性の芯線と該芯線を被覆する絶縁性の合成樹脂からなる被覆部とを備えている。
【００２５】
ワイヤハーネス１は、図１に示すように、幹線１ｍと、該幹線１ｍから分岐する複数の枝線１ｂと、を有している。ワイヤハーネス１は、前記布線平面形に対応した布線経路Ｌが、その製造に用いられる布線板４６に対して予め定められている。布線経路Ｌは、ワイヤハーネス１を構成する各電線束３の中心を示している。そして、布線経路Ｌにおいて、幹線１ｍから枝線１ｂが分岐している分岐点がワイヤハーネス１の曲げポイント（分岐ポイント）Ｐとなっている。
【００２６】
なお、本実施形態では、幹線１ｍから３つの枝線１ｂを分岐させ、そのうちの２本の枝線１ｂを分岐角度θで分岐させて布線治具１０で係止する場合について説明する。これに代えて、幹線１ｍから分岐させて布線治具１０に係止する枝線１ｂの数を１本とすることもできる。
【００２７】
布線治具１０は、図３に示すように、布線板４６上に定められたワイヤハーネス１の布線経路Ｌにおけるワイヤハーネス１の曲げポイントＰの近傍に、立設した状態で布線板４６に固定される。布線治具１０は、ワイヤハーネス１を構成する複数の電線２を布線経路Ｌからずらして係止し、且つ、複数の電線２が結束された電線束３を布線経路Ｌ上で係止する。
【００２８】
布線治具１０は、図１，２に示すように、複数の第１係止部材１１と、移動手段１２と、複数の第２係止部材１３と、基部１４と、を有して構成している。
【００２９】
複数の第１係止部材１１は、金属部材、強度の強い合成樹脂、等によってピン状に形成されている。第１係止部材１１は、幹線１ｍの電線束３を布線経路Ｌに位置付けるために、図２，３に示しように、該布線経路Ｌにおける曲げポイントＰの近傍に生じる複数の電線２の電線余長部分４を、予め定められた布線高さＨ１で係止可能に配置されている。つまり、第１係止部材１１は、複数の電線２の結束化の際に位置ズレを起こさないための電線余長部分４が弛まないように係止する位置に配置されている。よって、第１係止部材１１は、製造するワイヤハーネス１の電線余長部分４の余長経路に対応して配置が予め定められる。そして、図３中の破線が、複数の電線２を実際に第１係止部材１１に係止して布線したときの布線予想経路Ｇとなっている。
【００３０】
移動手段１２は、図４に示すように、布線高さＨ１から第１係止部材１１が逸脱する非布線高さＨ２と前記布線高さＨ１とにわたって第１係止部材１１を移動させる。移動手段１２は、第１係止部材１１が固定され、該固定された第１係止部材１１を布線高さＨ１又は非布線高さＨ２に位置付ける固定部１２ａを有している。固定部１２ａは、平板状に形成されており、複数の第１係止部材１１を上述した電線余長部分４と係止する位置に位置付けるように、複数の第１係止部材１１が立設（固定）されている。なお、固定部１２ａは、複数の第１係止部材１１を相異なる複数の固定位置で固定可能な構成とすることで、種々異なる電線余長部分４の各々に対応することができる。
【００３１】
固定部１２ａは、複数の第２指示部材１３の各々が貫通する複数（図中では３つ）のガイド１２ｂを有している。ガイド１２ｂは、固定部１２ａから第１係止部材１１に沿って立設している。ガイド１２ｂは、その中心部分には固定部１２ａも貫通する貫通孔を有し、該貫通孔は第２係止部材１３が挿通可能となっている。即ち、移動手段１２は、ガイド１２ｂ内に第２係止部材１３を挿通し、該第２係止部材１３に沿って移動可能となることから、第２係止部材１３の延在方向が移動手段１２の移動可能方向となり、第２係止部材１３がガイドレールとして移動手段１２の移動を規制している。
【００３２】
また、固定部１２ａは、その裏面側に布線位置Ｈ１と非布線位置Ｈ２に位置付けるために、図示しないロック機構を有している。そして、ロック機構の一例としては、第２係止部材１３側の係止穴と係止する可動係止突起を用いて、高さを切り替えるときに係止関係が作業者の操作によって解除する構造とすることができる。
【００３３】
複数の第２係止部材１３は、図１〜４に示すように、第１係止部材１１の近傍に設けられ、移動手段１２が第１係止部材１１を布線高さＨ１から非布線高さＨ２に移動した場合に、第１係止部材１１との係止が解除されたワイヤハーネス１の電線束３を布線高さＨ１で係止して、電線束３の中心軸を布線経路Ｌに位置付ける。そして、複数の第２係止部材１３は、幹線１ｍを係止する幹用ピン１３ａと、枝線１ｂに係止する一対の枝用ピン１３ｂと、を有して構成している。なお、本実施形態の第２係止部材１３は、幹用ピン１３ａを有する構成とするが、本発明はこれに限定するものではなく、ワイヤハーネス１の分岐状態によっては複数の枝用ピン１３ｂのみで構成することもできる。
【００３４】
第２係止部材１３は、金属部材、強度の強い合成樹脂、等によって第１係止部材１１よりも長いピン状に形成されており、幹用ピン１３ａと枝用ピン１３ｂは同一の形状となっている。そして、幹用ピン１３ａは、図１，３に示すように、布線経路Ｌの曲げポイントＰに対応し、幹線１ｍの電線束３を係止する位置に配置されている。
【００３５】
枝用ピン１３ｂは、図３に示すように、布線経路Ｌの曲げポイントＰで分岐する枝線１ｂに対応し、第１係止部材１１の近傍に配置されている。枝用ピン１３ｂは、枝線１ｂに対応した布線経路Ｌから離れた位置且つ完成形状の枝線１ｂの電線束３と接する位置となるように配置されている。即ち、枝線１ｂの電線束３の幅方向の断面が略円形である場合は、その半径分だけ布線経路Ｌからずれた位置となっている。このように本実施形態では、一対の枝用ピン１３ｂが本発明の第２係止部材として機能している。
【００３６】
複数の第２係止部材１３の各々は、移動手段１２が布線位置Ｈ１にある場合、ガイド１２ｂによって覆われた状態となり、また、移動手段１２が非布線位置Ｈ２にある場合、ガイド１２ｂによって覆われていない露出した状態となっている。即ち、移動手段１２が布線位置Ｈ１にある場合、第１係止部材１１は露出した状態であり、第２係止部材１３はガイド１２ｂによって覆われた状態としたことから、第１係止部材１１と第２係止部材１３とを並べて配置しても、作業者は見た目で第１係止部材１１と第２係止部材１３とを咄嗟に区別することができるため、複数の電線２を第１係止部材１１に確実に係止させることができる。また、ガイド１２ｂの表面を着色しておいたり、第１係止部材１１の表面に目印を付しておくことで、その効果を向上させることができる。
【００３７】
複数の第２係止部材１３は、布線経路Ｌ上からずらして配置しているため、複数の電線２の結束作業の邪魔となることを防止でき、分岐角度θや布線経路Ｌに生じるズレを低減することができる。
【００３８】
基部１４は、図１等に示すように、移動手段１２の固定部１２ａと略同形状の平板状に形成されている、基部１４は、複数の第２係止部材１３が所定の位置から立設（固定）されている。そして、基部１４は、布線板４６における布線経路Ｌの曲げポイントＰに対応して予め定められた所定位置に固定されることで、複数の第２係止部材１３を布線経路Ｌからずれた所望の位置に位置付ける。なお、本実施形態では、基部１４を平板状に形成した場合について説明するが、本発明はこれに限定するものではなく、例えば、従来の布線治具のようにピン状に形成することもできる。また、基部１４を用いずに、複数の第２係止部材１３を布線板４６に直接固定する実施形態とすることもできる。
【００３９】
次に、上述した構成の布線治具１０の動作（作用）の一例を、図４等の図面を参照して以下に説明する。
【００４０】
布線治具１０は、基部１４に複数の第２係止部材１３が立設されると、各第２係止部材１３に固定部１２のガイド１２ｂが挿通されて組み付けられ、第１係止部材１１が布線高さＨ１又は非布線高さＨ２に位置付けられる。そして、組み付けられた布線治具１０は、布線板４６上の布線経路Ｌの前記所定位置に基部１４が固定される。その結果、複数の第２係止部材１３は布線経路Ｌ上から電線束３の断面形状に対応した分だけずれた位置に配置され、第１係止部材１１はその第２係止部材１３の近傍かつ曲げポイントＰ寄りに配置される。そして、第１係止部材１１が布線高さＨ１に位置付けられている場合、第１係止部材１１と第２係止部材１３とは隣接している。また、第２係止部材１１が非布線高さＨ２に位置付けられている場合、第２係止部材１３のみが布線高さＨ１に位置付けられていることになる。
【００４１】
次に、上述した布線治具１０を、布線板４６上で製造するワイヤハーネス１の曲げポイントＰに対応させて前記布線板４６上に固定し、該布線治具１０を用いて布線した複数の電線２結束する電線結束方法の一例を、以下に説明する。
【００４２】
まず、電線係止過程において、図４に示すように、移動手段１２を布線高さＨ１に向けて移動させて、第１係止部材１１を布線高さＨ１に位置付けることで、第１係止部材１１を複数の電線２の電線余長部分４が係止可能な状態とする。そして、複数の電線２を布線板４６上の布線経路Ｌに沿って布線し、複数の電線２の電線余長部分４を複数の第１係止部材の各々に係止する。これにより、複数の電線２は、図６（ａ）に示すように、複数の電線２が第１係止部材１１にその高さ方向に沿って係止されて、電線余長部分４が弛むことなく布線板４６上に布線されることになる。
【００４３】
結束過程において、図５に示すように、布線した複数の電線２に対してテープ５１をテープ巻き方向Ｘ（曲げポイントＰ）に向かって巻いて複数の電線２を結束させて、ワイヤハーネス１の幹線１ｍと複数の枝線１ｂに対応した複数の電線束３を形成する。なお、電線束３を結束させる順番は任意に定められる。
【００４４】
電線束係止過程において、幹線１ｍと複数の枝線１ｂの各々に対応した複数の電線２の結束作業が電線余長部分４を係止している第１係止部材１１に近づくと、移動手段１２の固定部１２ｂは図４中の下方向に移動されて第１係止部材１１を非布線高さＨ２に位置付ける。そして、図６（ｂ）に示すように、複数の電線２の電線余長部分４付近に対してテープ５１を巻いて結束して断面が略円形の電線束３を形成し、該電線束３を第２係止部材１３に係止させることで、該電線束３は布線経路３上に位置付けられて、複数の枝線１ｂは幹線１ｍから所望の分岐角度で分岐される。
【００４５】
以上説明した布線治具１０及び電線結束方法によれば、ワイヤハーネス１の曲げポイントＰの近傍に設けた複数の電線２の電線余長部分４を第１係止部材１１に係止するようにしたことから、複数の電線２を結束しても曲げポイントＰに生じる弛みを安定させることができるため、寸法精度を安定させることができる。また、第１係止部材１１に係止した複数の電線２を結束し、第１係止部材１１との係止を解除した電線束３を、第２係止部材１３で係止して布線経路Ｌ上に位置付けるようにしたことから、第１係止部材１１によって電線余長部分４が係止されているために、結束作業時に作業者が曲げポイントＰに電線余長部分４を寄せて結束させる必要がなくなり、しかも、電線束３が布線経路Ｌ上からずれることを防止できるため、製造するワイヤハーネス１の精度低下を防止することができる。従って、複数の電線２に電線余長部分４を持たせてワイヤハーネス１を製造しても、結束後の電線束３の精度低下を防止できるため、寸法精度及び分岐角度の精度低下を防止して、寸法精度の良いワイヤハーネス１を容易に製造することができる。
【００４６】
また、移動手段１２の固定部１２ｂの移動方向Ｍを第２係止部材１３によって規制するようにしたことから、新たなガイド部材等を設ける必要もなく、固定部１２ｂを移動させるのみで第１係止部材１１を布線高さＨ１又は非布線高さＨ２に移動させることができるため、簡単な構成且つ安価に移動手段１２を実現することができる。
【００４７】
なお、上述した実施形態では、第１係止部材１１を布線経路Ｌ上に配置する場合について説明したが、移動手段１２によって布線経路Ｌ上から移動させることができるため、複数の電線２を結束化する際に障害となることはない。また、第１係止部材１１は電線余長部分４の形状、配置に対応して布線経路Ｌから外れた位置に配置されることもある。
【００４８】
このように上述した実施例は本発明の代表的な形態を示したに過ぎず、本発明は、実施形態に限定されるものではない。即ち、本発明の骨子を逸脱しない範囲で種々変形して実施することができる。
【符号の説明】
【００４９】
１    ワイヤハーネス
１ｍ    幹線
１ｂ    枝線
２    電線
３    電線束
４    電線余長部分
１０    布線治具
１１    第１係止部材
１２    移動手段
１３    第２係止部材
４６    布線板
Ｌ    布線経路
Ｐ    曲げポイント
【図１】
2012174333.tif 000003
【図２】
2012174333.tif 000004
【図３】
2012174333.tif 000005
【図４】
2012174333.tif 000006
【図５】
2012174333.tif 000007
【図６】
2012174333.tif 000008
【図７】
2012174333.tif 000009
【図８】
2012174333.tif 000010
【図９】
2012174333.tif 000011
【図１０】
2012174333.tif 000012